(57)【要約】  本発明は、モバイル機器とコンテンツ提供装置及びこれの制御方法に関することである。本発明によるモバイル機器は、外部と通信する通信部；前記通信部によって送受信される信号を処理する信号処理部；前記信号処理部によって処理される信号に基づいて映像を表示するディスプレイ部；を含む。本発明によるモバイル機器は、また、所定の領域内のコンテンツ伝達装置からプロファイルが要請されれば、前記要請に対応するプロファイルを前記コンテンツ伝達装置に送信し、前記送信したプロファイルに対応するコンテンツを受信するように前記通信部を制御する制御部；を含む。これによって、ユーザのプロファイルに基づいて、モバイル機器にユーザに合うコンテンツを提供することができる。
2013509636.tif 000002
【特許請求の範囲】
【請求項１】
モバイル機器において、
外部と通信する通信部；
前記通信部によって送受信される信号を処理する信号処理部；
前記信号処理部によって処理される信号に基づいて映像を表示するディスプレイ部；及び
所定の領域内のコンテンツ伝達装置からプロファイルが要請されれば、前記要請に対応するプロファイルを前記コンテンツ伝達装置に送信し、前記送信したプロファイルに対応するコンテンツを受信するように前記通信部を制御する制御部；
を含むことを特徴とするモバイル機器。
【請求項２】
前記制御部は、少なくとも一つのコンテンツを含むコンテンツ提供装置を通じて、前記プロファイルに対応するコンテンツを獲得する前記コンテンツ伝達装置から前記プロファイルに対応するコンテンツを受信するように前記通信部を制御することを特徴とする請求項１に記載のモバイル機器。
【請求項３】
前記制御部は、少なくとも一つのコンテンツを含み、前記コンテンツ伝達装置から前記プロファイルを受信したコンテンツ提供装置から前記プロファイルに対応するコンテンツを受信するように前記通信部を制御することを特徴とする請求項１に記載のモバイル機器。
【請求項４】
前記制御部は、前記プロファイルを少なくとも一つのコンテンツを含むコンテンツ提供装置に伝送するように前記通信部を制御することを特徴とする請求項１に記載のモバイル機器。
【請求項５】
前記制御部は、前記プロファイルが変更されれば、前記変更されたプロファイルを前記コンテンツ提供装置に伝送するように前記通信部を制御することを特徴とする請求項４に記載のモバイル機器。
【請求項６】
前記制御部は、前記コンテンツの特性に対応して、前記コンテンツの受信可否を判断することを特徴とする請求項１に記載のモバイル機器。
【請求項７】
前記コンテンツの特性は、前記コンテンツの容量、種類及び内容の中で少なくとも一つを含むことを特徴とする請求項６に記載のモバイル機器。
【請求項８】
前記プロファイルは、ユーザの選好度、関心分野、個人情報及び前記モバイル機器の特性情報の中で少なくとも一つを含むことを特徴とする請求項１に記載のモバイル機器。
【請求項９】
前記コンテンツは、広告、他のコンテンツにリンクされたグラフィック  ユーザ  インターフェース、動画、イメージ、オーディオ及びテキストの中で少なくとも一つを含むことを特徴とする請求項１に記載のモバイル機器。
【請求項１０】
前記コンテンツは、前記コンテンツ伝達装置で表示されている映像に関するコンテンツであることを特徴とする請求項９に記載のモバイル機器。
【請求項１１】
コンテンツ伝達装置において、
外部と通信する通信部；
前記通信部によって送受信される信号を処理する信号処理部；
前記信号処理部によって処理される信号に基づいて映像を表示するディスプレイ部；及び
所定の領域内にモバイル機器が感知されれば、前記モバイル機器でプロファイルを要請して前記プロファイルを受信し、前記受信したプロファイルを少なくとも一つのコンテンツを含むコンテンツ提供装置に伝送するように前記通信部を制御する制御部；
を含むことを特徴とするコンテンツ伝達装置。
【請求項１２】
前記制御部は、前記コンテンツ提供装置から前記プロファイルに対応するコンテンツを受信し、前記受信したコンテンツを前記モバイル機器に伝送するように前記通信部を制御することを特徴とする請求項１１に記載のコンテンツ伝達装置。
【請求項１３】
前記制御部は、前記コンテンツ提供装置に前記モバイル機器のプロファイルを伝送する場合、前記プロファイルに対応するコンテンツを要請し、前記要請されたコンテンツが前記モバイル機器に直接に送信を要請する信号を共に伝送するように前記通信部を制御することを特徴とする請求項１１に記載のコンテンツ伝達装置。
【請求項１４】
前記制御部は、前記コンテンツの特性に対応して、前記モバイル機器及び前記モバイル機器と連結される周辺機器の中で少なくともいずれか一つに前記コンテンツを伝送するように前記通信部を制御することを特徴とする請求項１２に記載のコンテンツ伝達装置。
【請求項１５】
前記制御部は、前記モバイル機器の特性に対応して、前記コンテンツの種類を異なるようにして伝送するように前記通信部を制御することを特徴とする請求項１２に記載のコンテンツ伝達装置。
【請求項１６】
前記コンテンツの特性は、前記コンテンツの容量、種類及び内容の中で少なくとも一つを含むことを特徴とする請求項１４に記載のコンテンツ提供装置。
【請求項１７】
前記プロファイルは、ユーザの選好度、関心分野、個人情報及び前記モバイル機器の特性情報の中で少なくとも一つを含むことを特徴とする請求項１１に記載のコンテンツ提供装置。
【請求項１８】
前記コンテンツは、広告、他のコンテンツにリンクされたグラフィック  ユーザ  インターフェース、動画、イメージ、オーディオ及びテキストの中で少なくとも一つを含むことを特徴とする請求項１１に記載のコンテンツ提供装置。
【請求項１９】
前記制御部は、前記コンテンツ提供装置に前記受信したプロファイルに対応するコンテンツの中で前記ディスプレイ部に表示されている映像に関するコンテンツの送信を要請するように前記通信部を制御することを特徴とする請求項１１に記載のコンテンツ提供装置。
【請求項２０】
コンテンツ提供装置において、
外部と通信する通信部；
少なくとも一つのコンテンツを保存する保存部と；
前記通信部を通じてコンテンツ伝達装置からモバイル機器のプロファイルを受信すれば、前記受信したプロファイルを保存するように前記保存部を制御し、前記保存された少なくとも一つのコンテンツの中で前記受信したプロファイルに対応するコンテンツを選択する制御部；
を含むことを特徴とするコンテンツ提供装置。
【請求項２１】
前記制御部は、前記選択されたコンテンツを前記コンテンツ伝達装置に伝送するように前記通信部を制御することを特徴とする請求項２０に記載のコンテンツ提供装置。
【請求項２２】
前記制御部は、前記コンテンツ伝達装置から前記プロファイルに対応するコンテンツを前記モバイル機器への送信が要請されれば、前記選択されたコンテンツを前記モバイル機器に伝送するように前記通信部を制御することを特徴とする請求項２０に記載のコンテンツ提供装置。
【請求項２３】
前記制御部は、前記プロファイルに対応するコンテンツを選択する場合、前記プロファイルに含まれたモバイル機器の特性情報に基づいて前記コンテンツの種類を選択することを特徴とする請求項２０に記載のコンテンツ提供装置。
【請求項２４】
モバイル機器の制御方法において、
所定の領域内のコンテンツ伝達装置からプロファイルが要請される段階；
前記プロファイルを前記コンテンツ伝達装置に送信する段階；
前記プロファイルに対応するコンテンツを受信する段階；及び
前記受信したコンテンツをディスプレイする段階；
を含むことを特徴とするモバイル機器の制御方法。
【請求項２５】
前記コンテンツ受信段階は、少なくとも一つのコンテンツを含むコンテンツ提供装置を通じて、前記プロファイルに対応するコンテンツを獲得した前記コンテンツ伝達装置から前記プロファイルに対応するコンテンツを受信する段階であることを特徴とする請求項２４に記載のモバイル機器の制御方法。
【請求項２６】
前記コンテンツ受信段階は、少なくとも一つのコンテンツを含み、前記コンテンツ伝達装置から前記プロファイルを受信したコンテンツ提供装置から前記プロファイルに対応するコンテンツを受信する段階であることを特徴とする請求項２４に記載のモバイル機器の制御方法。
【請求項２７】
前記プロファイルを少なくとも一つのコンテンツを含むコンテンツ提供装置に伝送する段階をさらに含むことを特徴とする請求項２４に記載のモバイル機器の制御方法。
【請求項２８】
前記プロファイルが変更されれば、前記変更されたプロファイルを前記コンテンツ提供装置に伝送する段階をさらに含むことを特徴とする請求項２７に記載のモバイル機器の制御方法。
【請求項２９】
前記コンテンツの特性に対応して、前記コンテンツの受信可否を判断する段階をさらに含むことを特徴とする請求項２４に記載のモバイル機器の制御方法。
【請求項３０】
前記コンテンツの特性は、前記コンテンツの容量、種類及び内容の中で少なくとも一つを含むことを特徴とする請求項２９に記載のモバイル機器の制御方法。
【請求項３１】
前記プロファイルは、ユーザの選好度、関心分野、個人情報及び前記モバイル機器の特性情報の中で少なくとも一つを含むことを特徴とする請求項２４に記載のモバイル機器の制御方法。
【請求項３２】
前記コンテンツは、広告、他のコンテンツにリンクされたグラフィック  ユーザ  インターフェース、動画、イメージ、オーディオ及びテキストの中で少なくとも一つを含むことを特徴とする請求項２４に記載のモバイル機器の制御方法。
【請求項３３】
前記コンテンツは、前記コンテンツ伝達装置で表示されている映像に関するコンテンツであることを特徴とする請求項３２に記載のモバイル機器の制御方法。
【請求項３４】
コンテンツ伝達装置の制御方法において、
所定の領域内にモバイル機器の存在可否を確認する段階；
前記所定の領域内にモバイル機器が存在すると感知されれば、前記モバイル機器にプロファイルを要請する段階；
前記モバイル機器から前記プロファイルを受信する段階；及び
前記受信したプロファイルを少なくとも一つのコンテンツを含むコンテンツ提供装置に伝送する段階；
を含むことを特徴とするコンテンツ伝達装置の制御方法。
【請求項３５】
前記コンテンツ提供装置から前記プロファイルに対応するコンテンツを受信する段階と；
前記受信したコンテンツを前記モバイル機器に伝送する段階；
をさらに含むことを特徴とする請求項３４に記載のコンテンツ伝達装置の制御方法。
【請求項３６】
前記プロファイルをコンテンツ提供装置に伝送する段階は、前記モバイル機器のプロファイルと共に前記プロファイルに対応するコンテンツの要請を提供し、前記要請されたコンテンツが前記モバイル機器に転送されるように前記コンテンツ提供装置に要請する段階をさらに含むことを特徴とする請求項３４に記載のコンテンツ伝達装置の制御方法。
【請求項３７】
前記受信されたコンテンツを伝送する段階は、前記コンテンツの特性に従って、前記モバイル機器及び前記モバイル機器と連結される周辺機器の中で少なくとも一つに前記コンテンツを伝送する段階であることを特徴とする請求項３４に記載のコンテンツ伝達装置の制御方法。
【請求項３８】
前記受信されたコンテンツを伝送する段階は、前記モバイル機器の特性に対応して、前記コンテンツの種類を異なるようにして伝送する段階であることを特徴とする請求項３４に記載のコンテンツ伝達装置の制御方法。
【請求項３９】
前記コンテンツの特性は、前記コンテンツの容量、種類及び内容の中で少なくとも一つを含むことを特徴とする請求項３７に記載のコンテンツ伝達装置の制御方法。
【請求項４０】
前記プロファイルは、ユーザの選好度、関心分野、個人情報及び前記モバイル機器の特性情報の中で少なくとも一つを含むことを特徴とする請求項３４に記載のコンテンツ伝達装置の制御方法。
【請求項４１】
前記コンテンツは、広告、他のコンテンツにリンクされたグラフィック  ユーザ  インターフェース、動画、イメージ、オーディオ及びテキストの中で少なくとも一つを含むことを特徴とする請求項３４に記載のコンテンツ伝達装置の制御方法。
【請求項４２】
前記受信したプロファイルに対応するコンテンツの中で前記ディスプレイ部に表示されている映像に関するコンテンツの送信を要請する段階をさらに含むことを特徴とする請求項３４に記載のコンテンツ伝達装置の制御方法。
【請求項４３】
コンテンツ提供装置の制御方法において、
少なくとも一つのコンテンツを保存部に保存する段階と；
通信部を通じて、コンテンツ伝達装置からモバイル機器のプロファイルを受信する段階と；
前記受信したプロファイルを前記保存部に保存する段階と；
前記保存された少なくとも一つのコンテンツの中で前記受信したプロファイルに対応するコンテンツを選択する段階；
を含むことを特徴とするコンテンツ提供装置の提供方法。
【請求項４４】
前記選択されたコンテンツを前記コンテンツ伝達装置に伝送する段階をさらに含むことを特徴とする請求項４３に記載のコンテンツ提供装置の提供方法。
【請求項４５】
前記プロファイル受信段階は、前記コンテンツ伝達装置から前記プロファイルに対応するコンテンツを前記モバイル機器への送信要請を共に受信する段階で、
前記選択されたコンテンツを前記モバイル機器に伝送する段階をさらに含むことを特徴とする請求項４３に記載のコンテンツ提供装置の提供方法。
【請求項４６】
前記選択段階は、前記プロファイルに含まれたモバイル機器の特性情報に基づいて、前記コンテンツの種類を選択する段階であることを特徴とする請求項４３に記載のコンテンツ提供装置の提供方法。
【発明の詳細な説明】
【技術分野】
【０００１】
本発明は、モバイル機器、コンテンツ伝達装置、コンテンツ提供装置及びこれらの制御方法に係り、さらに詳しくは、ユーザのプロファイルに基づいて、モバイル機器にユーザに合うコンテンツを提供できるモバイル機器、コンテンツ伝達装置、コンテンツ提供装置及びこれらの制御方法に関する。
【背景技術】
【０００２】
コンテンツ提供者は、ネットワークを通じてモバイル機器に多様なコンテンツを提供することができる。しかし、コンテンツ提供者は、多数のモバイル機器にコンテンツを伝送しなければならないので、モバイル機器ユーザのプロファイルに合うコンテンツを提供し難い。多数のモバイル機器をグループ別に分類し、各グループ別にコンテンツを異なるようにして伝送することはできるが、このような場合にもユーザに合うコンテンツを提供するのは難しい。
【発明の概要】
【発明が解決しようとする課題】
【０００３】
従って、本発明の目的は、ユーザのプロファイルに基づいてモバイル機器にユーザに合うコンテンツを提供できるモバイル機器、コンテンツ伝達装置、コンテンツ提供装置及びこれらの制御方法を提供する。
【課題を解決するための手段】
【０００４】
前記目的は、本発明によって、モバイル機器において、外部と通信する通信部；前記通信部によって送受信される信号を処理する信号処理部；前記信号処理部によって処理される信号に基づいて映像を表示するディスプレイ部；及び所定の領域内のコンテンツ伝達装置からプロファイルが要請されれば、前記要請に対応するプロファイルを前記コンテンツ伝達装置に送信し、前記送信したプロファイルに対応するコンテンツを受信するように前記通信部を制御する制御部；を含むことを特徴とするモバイル機器によって達成されることができる。
【０００５】
また、前記目的は、本発明によって、コンテンツ伝達装置において、外部と通信する通信部；前記通信部によって送受信される信号を処理する信号処理部；前記信号処理部によって処理される信号に基づいて映像を表示するディスプレイ部；及び所定の領域内にモバイル機器が感知されれば、前記モバイル機器でプロファイルを要請して前記プロファイルを受信し、前記受信したプロファイルを少なくとも一つのコンテンツを含むコンテンツ提供装置に伝送するように前記通信部を制御する制御部；を含むことを特徴とするコンテンツ伝達装置によって達成されることができる。
【０００６】
前記目的は、本発明によって、コンテンツ提供装置において、外部と通信する通信部；少なくとも一つのコンテンツを保存する保存部と；前記通信部を通じてコンテンツ伝達装置からモバイル機器のプロファイルを受信すれば、前記受信したプロファイルを保存するように前記保存部を制御し、前記保存された少なくとも一つのコンテンツの中で前記受信したプロファイルに対応するコンテンツを選択する制御部；を含むことを特徴とするコンテンツ提供装置によって達成されることができる。
【０００７】
前記目的は、本発明によって、モバイル機器の制御方法において、所定の領域内のコンテンツ伝達装置からプロファイルが要請される段階；前記プロファイルを前記コンテンツ伝達装置に送信する段階；前記プロファイルに対応するコンテンツを受信する段階；及び前記受信したコンテンツをディスプレイする段階；を含むことを特徴とするモバイル機器の制御方法によって達成されることができる。
【０００８】
前記プロファイルを少なくとも一つのコンテンツを含むコンテンツ提供装置に伝送する段階をさらに含むことができる。
【０００９】
前記プロファイルが変更されれば、前記変更されたプロファイルを前記コンテンツ提供装置に伝送する段階をさらに含むことができる。
【００１０】
前記コンテンツの特性に対応して、前記コンテンツの受信可否を判断する段階をさらに含むことができる。
【００１１】
前記目的は、本発明によって、コンテンツ伝達装置の制御方法において、所定の領域内にモバイル機器の存在可否を感知する段階；前記所定の領域内にモバイル機器が存在すると感知されれば、前記モバイル機器にプロファイルを要請する段階；前記モバイル機器から前記プロファイルを受信する段階；及び前記受信したプロファイルを少なくとも一つのコンテンツを含むコンテンツ提供装置に伝送する段階；を含むことを特徴とするコンテンツ伝達装置の制御方法によって達成されることができる。
【００１２】
前記制御方法は、前記コンテンツ提供装置から前記プロファイルに対応するコンテンツを受信する段階と；前記受信したコンテンツを前記モバイル機器に伝送する段階；をさらに含むことができる。
【００１３】
前記制御方法は、前記受信したプロファイルに対応するコンテンツの中で前記ディスプレイ部に表示されている映像に関するコンテンツの送信を要請する段階をさらに含むことができる。
【００１４】
前記目的は、本発明によって、コンテンツ提供装置の制御方法において、少なくとも一つのコンテンツを保存部に保存する段階と；通信部を通じて、コンテンツ伝達装置からモバイル機器のプロファイルを受信する段階と；前記受信したプロファイルを前記保存部に保存する段階と；前記保存された少なくとも一つのコンテンツの中で前記受信したプロファイルに対応するコンテンツを選択する段階；を含むことを特徴とするコンテンツ提供装置の提供方法によって達成されることができる。
【００１５】
前記提供方法は、前記選択されたコンテンツを前記コンテンツ伝達装置に伝送する段階をさらに含むことができる。
【発明の効果】
【００１６】
以上、説明した通り、本発明によれば、ユーザのプロファイルに基づいて、モバイル機器で前記モバイル機器を使用するユーザに合うコンテンツを提供することができる。
【図面の簡単な説明】
【００１７】
【図１】本発明の一実施形態によるモバイル機器、コンテンツ伝達装置及びコンテンツ提供装置を含むネットワークの構成を示す図である。
【図２】本発明の一実施形態によるモバイル機器の構成を示すブロック図である。
【図３】本発明の一実施形態によるコンテンツ伝達装置の構成を示すブロック図である。
【図４】本発明の一実施形態によるコンテンツ提供装置の構成を示すブロック図である。
【図５】本発明の一実施形態によるコンテンツ提供方法を説明するための図である。
【図６】本発明の一実施形態によるコンテンツ提供方法を説明するための図である。
【図７】本発明の他の実施形態によるコンテンツ提供方法を説明するための図である。
【図８】本発明のまた他の実施形態によるコンテンツ提供方法を説明するための図である。
【図９】本発明の一実施形態によるモバイル機器の制御過程を示す図である。
【図１０】本発明の一実施形態によるコンテンツ伝達装置の制御過程を示す図である。
【図１１】本発明の他の実施形態によるコンテンツ伝達装置の制御過程を示す図である。
【図１２】本発明のまた他の実施形態によるコンテンツ伝達装置の制御過程を示す図である。
【図１３】本発明の一実施形態によるコンテンツ提供装置の制御過程を示す図である。
【発明を実施するための形態】
【００１８】
以下、添付図面を参考して、本発明の実施形態に対して本発明の属する技術分野で通常の知識を有する者が容易に実施できるように詳細に説明する。本発明は、いろいろ異なる形態で具現されることができるし、ここで説明する実施形態に限定されない。本発明を明確に説明するために、説明に係らない部分は省略し、明細書全体を通じて同一または類似の構成要素に対しては同じ参照符号を付けるようとする。
【００１９】
図１は、本発明の一実施形態によるモバイル機器、コンテンツ伝達装置及びコンテンツ提供装置を含むネットワークの構成を示す図である。
【００２０】
Ａモバイル機器２００ＡとＢモバイル機器２００Ｂは、コンテンツ伝達装置３００からコンテンツが提供されるように、先ずユーザのプロファイル１２５、１３５をコンテンツ提供装置１００に登録させる。この場合、コンテンツ提供装置１００は、前記ユーザのプロファイル１２５、１３５及びこれに関する情報をデータベース形態で管理することができる。
【００２１】
Ａモバイル機器２００Ａが、コンテンツ伝達装置３００を基準として所定の領域１１５内に進入すれば、コンテンツ伝達装置３００は、Ａモバイル機器２００Ａを認識する。この場合、コンテンツ伝達装置３００は、Ａモバイル機器２００Ａにプロファイルを要請して受信する。
【００２２】
コンテンツ伝達装置３００は、Ａモバイル機器２００Ａのプロファイルに対応するコンテンツをコンテンツ提供装置１００から獲得する。コンテンツ伝達装置３００は、獲得したコンテンツをＡモバイル機器２００Ａに伝送する。
【００２３】
一方、Ｂモバイル機器２００Ｂは、コンテンツ伝達装置３００を基準として所定の領域１１５のそとに位置するので、コンテンツ伝達装置３００は、Ｂモバイル機器２００Ｂを認識できない。従って、Ｂモバイル機器２００Ｂは、コンテンツ伝達装置３００からコンテンツを受信できない。
【００２４】
図２は、本発明の一実施形態によるモバイル機器の構成を示すブロック図である。
【００２５】
本発明の一実施形態によるモバイル機器２００は、移動端末、ＰＤＡ（Ｐｅｒｓｏｎａｌ  Ｄｉｇｉｔａｌ  Ａｓｓｉｓｔａｎｔ），ＭＰ３（ＭＰＥＧ  Ａｕｄｉｏ  Ｌａｙｅｒ−３）、ラップトップ コンピュータなどになることができる。また、ユーザが携帯可能で、サーバーまたは周辺装置と通信することができる電子デバイスならば、本発明の一実施形態によるモバイル機器２００になることができる。
【００２６】
本発明の一実施形態によるモバイル機器２００は、通信部２１０、信号処理部２２０、ディスプレイ部２３０及び制御部２４０を含むことができる。
【００２７】
通信部２１０は、外部と通信をすることができる。例えば、コンテンツ伝達装置３００とコンテンツ提供装置１００と通信をすることができる。具体的に、通信部２１０は、ブルートゥース（Ｂｌｕｅｔｏｏｔｈ（登録商標））、ジグビー（Ｚｉｇｂｅｅ（登録商標））、無線ラン（ＷＬＡＮ）通信などを行うことができる。このため、通信部２１０は、ブルートゥース、ジグビー、ＷＬＡＮ通信モジュールなどを含むことができる。
【００２８】
信号処理部２２０は、通信部２１０によって送受信される信号を処理することができる。具体的に、信号処理部２３０は、信号のインコーディング、デコーディング及び復調などを行うことができる。
【００２９】
ディスプレイ部２３０は、信号処理部２２０によって処理される信号に基づいて映像を表示することができる。このために、ディスプレイ部２３０は、液晶表示装置（Ｌｉｑｕｉｄ  Ｃｒｙｓｔａｌ  Ｄｉｓｐｌａｙ：ＬＣＤ）、有機電気発光ダイオード（Ｏｒｇａｎｉｃ  Ｌｉｇｈｔｉｎｇ  Ｅｍｉｔｔｉｎｇ  Ｄｉｓｐｌａｙ：ＯＬＥＤ）、またはプラズマ表示パネル（Ｐｌａｓｍａ  Ｄｉｓｐｌａｙ  Ｐａｎｅｌ：ＰＤＰ）等の形態で具現されるディスプレイパネルを含むことができる。
【００３０】
制御部２４０は、所定の領域内のコンテンツ伝達装置３００からプロファイルが要請されれば、前記プロファイルを前記コンテンツ伝達装置３００に送信するように通信部２１０を制御することができる。この場合、制御部２４０は、少なくとも一つのコンテンツを含むコンテンツ提供装置１００を通じて前記プロファイルに対応するコンテンツを獲得した前記コンテンツ伝達装置３００から前記プロファイルに対応するコンテンツを受信するように前記通信部２１０を制御することができる。または、制御部２４０は、少なくとも一つのコンテンツを含み、前記コンテンツ伝達装置３００から前記プロファイルを受信したコンテンツ提供装置１００から前記プロファイルに対応するコンテンツを受信するように前記通信部２１０を制御することができる。
【００３１】
制御部２４０は、プロファイルをコンテンツ提供装置１００に伝送するように通信部２１０を制御して、プロファイルを先ず登録させることができる。また、制御部２４０はプロファイルが変更される場合、変更された前記プロファイルを前記コンテンツ提供装置１００に伝送するように通信部２１０を制御して、コンテンツ提供装置１００に登録されたプロファイルをアップデートさせることができる。
【００３２】
制御部２４０は、コンテンツの特性に対応して、前記コンテンツの受信可否を判断することができる。この場合、コンテンツの特性は、コンテンツの容量、種類及び内容の中で少なくとも一つを含むことができる。例えば、制御部２４０は、コンテンツの容量に基づいて受信可否を判断し、所定の容量以下のコンテンツだけ受信し、所定の容量を超過するコンテンツは受信しないように、通信部２１０を制御することができる。また、制御部２４０は、コンテンツの種類に基づいて受信可否を判断し、モバイル機器２００の機能に関するファームウェアなどは受信し、広告などは受信しないように通信部２１０を制御することもできる。
【００３３】
一方、前記プロファイルは、ユーザの選好度、関心分野、個人情報及び前記モバイル機器２００の特性情報の中で少なくとも一つを含むことができる。また、前記コンテンツは、広告、他のコンテンツにリンクされたグラフィック  ユーザ  インターフェース、動画、イメージ、オーディオ及びテキストの中で少なくとも一つを含むことができる。
【００３４】
図３は、本発明の一実施形態によるコンテンツ伝達装置の構成を示すブロック図である。
【００３５】
本発明の一実施形態によるコンテンツ伝達装置３００は、映像を表示できるディスプレイ部３３０を含むディスプレイ装置を含み、例えば、大型ディスプレイ装置（Ｌａｒｇｅ  Ｆｏｒｍａｔ  Ｄｉｓｐｌａｙ：ＬＦＤ）、ベンディング マシン（Ｖｅｎｄｉｎｇ  Ｍａｃｈｉｎｅ）、情報ディスプレイ（Ｄｉｇｉｔａｌ  Ｉｎｆｏｒｍａｔｉｏｎ  Ｄｉｓｐｌａｙ：ＤＩＤ）等を含むことができる。
【００３６】
本発明の一実施形態によるコンテンツ伝達装置３００は、通信部３１０、信号処理部３２０、ディスプレイ部３３０及び制御部３４０を含むことができる。
【００３７】
通信部３１０は、外部と通信をすることができる。具体的に、所定の領域内に存在するモバイル機器２００を感知または認識できるのに、これは前記通信部３１０が、ブルートゥース（Ｂｌｕｅｔｏｏｔｈ（登録商標））、ジグビー（Ｚｉｇｂｅｅ（登録商標））、無線ラン（ＷＬＡＮ）通信などを通じて、モバイル機器２００を感知または認識することができる。このために、通信部３１０は、ブルートゥース、ジグビー、ＷＬＡＮ通信モジュールなどを含むことができる。
【００３８】
信号処理部３２０は、通信部３１０によって送受信される信号を処理することができる。
【００３９】
ディスプレイ部３３０は、信号処理部３２０によって処理される信号に基づいて映像を表示することができる。ディスプレイ部３３０は、液晶表示装置（Ｌｉｑｕｉｄ  Ｃｒｙｓｔａｌ  Ｄｉｓｐｌａｙ：ＬＣＤ）、有機電気発光ダイオード（Ｏｒｇａｎｉｃ  Ｌｉｇｈｔｉｎｇ  Ｅｍｉｔｔｉｎｇ  Ｄｉｓｐｌａｙ：ＯＬＥＤ）、またはプラズマ表示パネル（Ｐｌａｓｍａ  Ｄｉｓｐｌａｙ  Ｐａｎｅｌ：ＰＤＰ）等の形態で具現されるディスプレイパネルを含むことができる。
【００４０】
制御部３４０は、所定の領域内にモバイル機器２００が感知されれば、モバイル機器２００にプロファイルを要請して前記プロファイルを受信し、前記受信したプロファイルを少なくとも一つのコンテンツを含むコンテンツ提供装置に伝送するように前記通信部３１０を制御することができる。
【００４１】
前記制御部３４０は、前記コンテンツ提供装置１００から前記プロファイルに対応するコンテンツを受信し、前記受信したコンテンツを前記モバイル機器２００に伝送するように前記通信部３１０を制御することができる。または、前記制御部３４０は、前記コンテンツ提供装置１００に前記モバイル機器２００のプロファイルを伝送する場合、前記プロファイルに対応するコンテンツを要請し、前記要請されたコンテンツが前記モバイル機器２００に転送されるように要請するように前記通信部３１０を制御することができる。
【００４２】
一方、コンテンツの特性は、前記コンテンツの容量、種類及び内容の中で少なくとも一つを含むことができる。また、プロファイルは、ユーザの選好度、関心分野、個人情報及び前記モバイル機器の特性情報の中で少なくとも一つを含むことができる。コンテンツは、広告、他のコンテンツにリンクされたグラフィック  ユーザ  インターフェース、動画、イメージ、オーディオ及びテキストの中で少なくとも一つを含むことができる。また前記コンテンツは、前記ディスプレイ部３３０で表示されている映像に関するコンテンツを含む。従って、前記ディスプレイ部３３０で特定商品を広告する広告映像が表示されている場合、制御部３４０は、前記モバイル機器から受信したプロファイルに対応するコンテンツの中で前記表示されている広告映像に関するコンテンツ（例えば、前記広告商品のイメージ、テキスト、広告商品の製造会社などに関するコンテンツ）をコンテンツ提供装置に要請し受信して、これをモバイル機器に伝送するように通信部３１０を制御することができる。
【００４３】
一実施形態によると、制御部３４０は、コンテンツの特性に対応して、モバイル機器２００及びモバイル機器２００と連結する周辺機器の中で少なくとも一つにコンテンツを伝送するように通信部３１０を制御することができる。例えば、コンテンツの容量に対応して、低容量コンテンツはモバイル機器２００に伝送され、高用量コンテンツはモバイル機器２００に連結された周辺機器に伝送することができる。この場合、モバイル機器２００に連結された周辺機器に対する情報は、プロファイルによって提供されることができる。
【００４４】
他の実施形態によれば、制御部３４０は、モバイル機器２００の特性に対応して、前記コンテンツの種類を異なるようにして伝送するように通信部３１０を制御することができる。例えば、モバイル機器２００が移動端末である場合、制御部３４０は、コンテンツをイメージや文字形態で伝送するように通信部３１０を制御することができる。また、モバイル機器２００がラップトップ コンピュータである場合、制御部３４０は、コンテンツが存在するＵＲＬ（Ｕｎｉｆｏｒｍ  Ｒｅｓｏｕｒｃｅ  Ｌｏｃａｔｏｒ）やホームページ住所を提供するように通信部３１０を制御することができる。
【００４５】
図４は、本発明の一実施形態によるコンテンツ提供装置の構成を示すブロック図である。
【００４６】
コンテンツ提供装置１００は、少なくとも一つのコンテンツを含み、モバイル機器２００またはコンテンツ伝達装置３００に前記少なくとも一つのコンテンツを提供する装置として、例えば、サーバーまたはウェブサーバーとして具現することができる。
【００４７】
コンテンツ提供装置１００は、通信部１１０、保存部１２０及びこれらを制御する制御部１３０を含む。
【００４８】
通信部１１０は、外部と通信をすることができる。通信部１１０を通じて、モバイル機器２００またはコンテンツ伝達装置３００と通信をすることができる。
【００４９】
通信部２１０は、外部と通信をすることができる。例えば、コンテンツ伝達装置３００とコンテンツ提供装置１００と通信をすることができる。具体的に、通信部２１０は、無線ラン（ＷＬＡＮ）通信などを行うことができる。このために、通信部２１０は、ＷＬＡＮ通信モジュールなどを含むことができる。
【００５０】
保存部１２０は、少なくとも一つのコンテンツを保存する。ここでコンテンツは、広告、他のコンテンツにリンクされたグラフィック  ユーザ  インターフェース、動画、イメージ、オーディオ及びテキストの中で少なくとも一つを含むことができる。
【００５１】
また、保存部１２０には、モバイル機器２００またはコンテンツ伝達装置３００から受信したモバイル機器のプロファイルが保存され、前記保存されたプロファイルは、データベース形態で管理されることができる。また、モバイル機器２００から変更されたプロファイルを受信すれば、前記保存部に保存されたプロファイルを前記変更されたプロファイルでアップデートすることができる。
【００５２】
制御部１３０は、前記通信部１１０を通じてコンテンツ伝達装置３００からモバイル機器１００のプロファイルを受信すれば、前記受信したプロファイルを保存するように前記保存部１２０を制御し、保存部１２０に保存された少なくとも一つのコンテンツの中で前記受信したプロファイルに対応するコンテンツを選択する。制御部１３０は、前記プロファイルに対応するコンテンツを選択する場合、前記プロファイルに含まれたモバイル機器２００の特性情報に基づいて、前記コンテンツの種類を選択することができる。
【００５３】
制御部１３０は、前記選択されたコンテンツを前記コンテンツ伝達装置３００に伝送するように前記通信部１１０を制御する。または制御部１３０は、前記コンテンツ伝達装置３００から前記プロファイルに対応するコンテンツを前記モバイル機器２００への送信が要請されれば、前記選択されたコンテンツを前記モバイル機器２００に伝送するように前記通信部１１０を制御する。
【００５４】
図５は、本発明の一実施形態によるコンテンツ提供方法を説明するための図面である。
【００５５】
本発明の一実施形態によれば、コンテンツ伝達装置４１０は、所定の領域４１５内に位置するＡモバイル機器４２０を認識し、認識した前記Ａモバイル機器４２０にコンテンツを伝達することができる。
【００５６】
コンテンツ伝達装置４１０を中心として所定の領域内にＡモバイル機器４２０が位置すれば、コンテンツ伝達装置４１０は、Ａモバイル機器４２０を認識する。
【００５７】
コンテンツ伝達装置４１０は、Ａモバイル機器４２０のプロファイルを読む。具体的に、コンテンツ伝達装置４１０は、Ａモバイル機器４２０にプロファイルを要請し、これに対する応答として前記プロファイルを受信することができる。
【００５８】
コンテンツ伝達装置４１０は、前記Ａモバイル機器から受信したプロファイル情報及び前記プロファイル情報に対応する少なくとも一つのコンテンツの送信をコンテンツ提供装置４００に要請する。前記Ａモバイル機器のプロファイル及び前記コンテンツ送信の要請を受信したコンテンツ提供装置４００は、既に保存された少なくとも一つのコンテンツの中で前記Ａモバイル機器のプロファイルに対応する少なくとも一つのコンテンツを選択し、前記選択されたコンテンツを前記コンテンツ伝達装置４１０に伝送する。
【００５９】
本実施形態によれば、ユーザの別途の行動なしに、またはユーザの意図とは関係なく、前記コンテンツ伝達装置がモバイル機器の接近を感知すれば、ユーザに合うコンテンツを伝送することができる。
【００６０】
また、モバイル機器のプロファイルに基づいてモバイル機器にコンテンツを伝送することによって、複数のユーザ各々に個人化されたコンテンツを同時に提供することができる。
【００６１】
図６は、本発明の他の実施形態によるコンテンツ提供方法を説明するための図である。
【００６２】
前記図５の実施形態と異なることは、Ａモバイル機器４２０がコンテンツ提供装置４００から直接にコンテンツが送信されることである。
【００６３】
すなわち、コンテンツ伝達装置４１０が所定の領域内４１５に位置するＡモバイル機器４２０を認識して、プロファイルを要請し、前記要請に対応してプロファイルを受信する。
【００６４】
前記コンテンツ伝達装置４１０は、前記受信したプロファイルをコンテンツ提供装置４００に伝送する時、前記プロファイルに対応するコンテンツを前記Ａモバイル機器に直接に伝送するように要請することができる。
【００６５】
前記要請を受信したコンテンツ提供装置４００は、既に保存されている少なくとも一つのコンテンツの中で前記受信したプロファイルに対応する少なくとも一つのコンテンツを選択して、前記Ａモバイル機器に直接に伝送することができる。
【００６６】
図７は、本発明のまた他の実施形態によるコンテンツ提供方法を説明するための図面である。
【００６７】
本発明の他の実施形態によれば、コンテンツ伝達装置５１０は、コンテンツの特性に対応して、Ａモバイル機器５２０及びＡモバイル機器５２０と連結される周辺機器５３０の中で少なくとも一つにコンテンツを伝送することができる。
【００６８】
コンテンツ伝達装置５１０は、所定の領域５１５内に進入したＡモバイル機器５２０を認識しプロファイルを要請する。この時、Ａモバイル機器５２０の連結されている周辺装置に対する情報を共に要請することができる。前記要請に対応してＡモバイル機器５２０は、自身のプロファイルと自身の連結されている周辺装置に対する情報を共に前記コンテンツ伝達装置５１０に伝送することができる。
【００６９】
コンテンツ伝達装置５１０は、前記受信したＡモバイル機器５２０のプロファイルをコンテンツ提供装置５００に伝送し、また前記プロファイルに対応するコンテンツの伝送を共に要請する。前記コンテンツ提供装置５００は、既に保存されている少なくとも一つのコンテンツの中で前記受信したプロファイルに対応する少なくとも一つのコンテンツを検索及び選択し、前記選択されたコンテンツをコンテンツ伝達装置５１０に送信する。本実施形態でコンテンツ伝達装置５１０は、コンテンツ提供装置からＸコンテンツ及びＹコンテンツを受信する。
【００７０】
ＸコンテンツとＹコンテンツは、特性が異なることもできる。具体的に、コンテンツの容量、種類及び内容面で互いに異なることができる。例えば、Ｘコンテンツは低容量であるが、Ｙコンテンツは高用量であることができる。コンテンツ伝達装置５１０は、前記Ａモバイル機器５２０のプロファイルと共に受信した周辺装置に対する情報を利用して、コンテンツをどの装置に送信するか可否を判断することができる。一般的に、モバイル機器は、保存容量の限界が存在するので、コンテンツ伝達装置５１０は、ＸコンテンツをＡモバイル機器５２０に伝送し、ＹコンテンツをＡモバイル機器５２０に連結された周辺装置のデジタルＴＶ５３０に伝送することができる。
【００７１】
本実施形態によるコンテンツ伝達装置は、コンテンツの特性に従ってコンテンツを最適のデバイスで選択して伝送することができる。
【００７２】
図８は、本発明のまた他の実施形態によるコンテンツ提供方法を説明するための図である。
【００７３】
本発明のまた他の実施形態によれば、コンテンツ伝達装置６１０は、モバイル機器６２０、６３０、６４０の特性に対応して、コンテンツの種類を異なるようにして伝送することができる。
【００７４】
コンテンツ伝達装置６１０は、所定の領域６１５内に進入したＡモバイル機器６２０、Ｂモバイル機器６３０及びＣモバイル機器６４０を認識して、プロファイルを読む。
【００７５】
Ａモバイル機器６２０、Ｂモバイル機器６３０及びＣモバイル機器６４０各々は、デバイス特性が異なることができる。例えば、Ａモバイル機器６２０はスマート フォンであり、Ｂモバイル機器６３０は移動端末であり、Ｃモバイル機器６４０はラップトップ コンピュータであることができる。前記各モバイル機器から受信したプロファイルに含まれている情報を通じて、コンテンツ伝達装置６１０は各モバイル機器の特性を判断する。
【００７６】
従って、コンテンツ伝達装置６１０は、前記受信した各機器のプロファイルをコンテンツ提供装置６００に伝送する時、前記プロファイルに対応するコンテンツを要請する。この時、コンテンツ提供装置６００から、例えば、前記Ａモバイル機器６２０に対応する三つのコンテンツを、Ｂモバイル機器６３０に対応する四つのコンテンツを、Ｃモバイル機器６４０に対応する五つのコンテンツを受信することができる。コンテンツ伝達装置６１０は、前記判断された各モバイル機器の特性に基づいて、Ａモバイル機器６２０の場合には前記受信した三つのコンテンツの中で前記Ａモバイル機器６２０の特性に合う一つのコンテンツをＡモバイル機器６２０に伝送することができる。これは、Ｂモバイル機器６３０及びＣモバイル機器６４０でも同一に適用されることができる。
【００７７】
または、コンテンツ伝達装置６１０は、前記各モバイル機器のプロファイルに対応するコンテンツを前記コンテンツ提供装置６００に伝送する時、前記判断された各モバイル機器の特性に対応するコンテンツだけの送信を要請することができる。
【００７８】
または、コンテンツ伝達装置６１０は、前記各モバイル機器のプロファイルに対応するコンテンツをコンテンツ提供装置６００から受信した後に、前記判断された各モバイル機器の特性に対応して、前記受信したコンテンツを加工することができる。例えば、Ａモバイル機器６２０、Ｂモバイル機器６３０及びＣモバイル機器６４０に転送されることができるコンテンツ（例えば、テキスト、動画、イメージを全部含んでいるウェブページ）をコンテンツ提供装置６００から受信する。前記コンテンツ伝達装置６１０は、前記判断した各モバイル機器の特性に基づいて、Ａモバイル機器６２０がＰＭＰと判断されれば、前記ＰＭＰはウェブ ブラウジングが不可能であるので、コンテンツ伝達装置６１０は、前記ウェブページに含まれている動画、イメージ及びテキストの中で少なくともいずれか一つ（Ｘコンテンツ）を抜粋してＡモバイル機器６２０に伝送することができる。Ｂモバイル機器６３０が移動端末機であると判断されれば、前記移動端末機がウェブ ブラウジングが不可能であれば、コンテンツ伝達装置６１０は、前記ウェブページに含まれたテキスト及びイメージの中で少なくともいずれか一つ（Ｙコンテンツ）だけを選択してＢモバイル機器６３０に伝送することができる。また、Ｃモバイル機器６４０がラップトップ コンピュータと判断されれば、ウェブ ブラウジングが可能であるので、コンテンツ伝達装置６１０は前記ウェブページのＵＲＬ（Ｚコンテンツ）をＣモバイル機器６４０に伝送することができる。本実施形態によれば、コンテンツ伝達装置は、コンテンツを前記コンテンツが再生されるモバイル機器に最適状態で提供することができる。
【００７９】
図９は、本発明の一実施形態によるモバイル機器の制御過程を示す図面である。
【００８０】
モバイル機器２００がコンテンツ伝達装置３００に接近する（Ｓ７０１）。モバイル機器２００がコンテンツ伝達装置３００の所定の領域内に進入すれば、コンテンツ伝達装置３００はモバイル機器２００を認識する。
【００８１】
モバイル機器２００は、コンテンツ伝達装置３００からプロファイルが要請される（Ｓ７０２）。この場合、モバイル機器２００は、前記プロファイルを前記コンテンツ伝達装置３００に送信する（Ｓ７０３）。
【００８２】
モバイル機器２００は、コンテンツ伝達装置３００がコンテンツ提供装置１００を通じて獲得した前記プロファイルに対応するコンテンツを前記コンテンツ伝達装置３００から受信する（Ｓ７０４）。
【００８３】
モバイル機器２００は、受信した前記コンテンツをディスプレイする（Ｓ７０５）。
【００８４】
図１０は、本発明の一実施形態によるコンテンツ伝達装置の制御過程を示す図である。
【００８５】
コンテンツ伝達装置３００は、モバイル機器２００の接近を感知する（Ｓ８０１）。この場合、コンテンツ伝達装置３００は、モバイル機器２００にプロファイルを要請する（Ｓ８０２）。
【００８６】
コンテンツ伝達装置３００は、モバイル機器２００から前記プロファイルを受信する（Ｓ８０３）。
【００８７】
コンテンツ伝達装置３００は、前記プロファイルに対応するコンテンツをコンテンツ提供装置１００を通じて獲得する（Ｓ８０４）。コンテンツ伝達装置３００は、獲得した前記コンテンツをモバイル機器２００に伝送する（Ｓ８０５）。
【００８８】
図１１は、本発明の他の実施形態によるコンテンツ伝達装置の制御過程を示す図である。
【００８９】
コンテンツ伝達装置３００は、モバイル機器２００の接近を感知する（Ｓ９０１）。この場合、コンテンツ伝達装置３００は、モバイル機器２００にプロファイルを要請する（Ｓ９０２）。
【００９０】
コンテンツ伝達装置３００は、モバイル機器２００から前記プロファイルを受信する（Ｓ９０３）。
【００９１】
コンテンツ伝達装置３００は、前記プロファイルに対応するコンテンツをコンテンツ提供装置１００を通じて獲得する（Ｓ９０４）。
【００９２】
コンテンツ伝達装置３００は、獲得したコンテンツの特性を判断する（Ｓ９０５）。具体的に、獲得したコンテンツは、容量、種類及び内容面で互いに異なることができる。この場合、コンテンツ伝達装置３００は、コンテンツの特性に適合するデバイスを選択する。
【００９３】
前記選択に従って、コンテンツ伝達装置３００は、モバイル機器２００及びモバイル機器２００と連結される周辺機器の中で少なくとも一つにコンテンツを伝送する（Ｓ９０６）。
【００９４】
図１２は、本発明のまた他の実施形態によるコンテンツ伝達装置の制御過程を示す図面である。
【００９５】
コンテンツ伝達装置３００は、モバイル機器２００の接近を感知する（Ｓ１００１）。この場合、コンテンツ伝達装置３００は、モバイル機器２００にプロファイルを要請する（Ｓ１００２）。
【００９６】
コンテンツ伝達装置３００は、モバイル機器２００から前記プロファイルを受信する（Ｓ１００３）。
【００９７】
コンテンツ伝達装置３００は、前記プロファイルに対応するコンテンツをコンテンツ提供装置１００を通じて獲得する（Ｓ１００４）。
【００９８】
コンテンツ伝達装置３００は、獲得したコンテンツを伝送するモバイル機器２００の特性を判断する（Ｓ１００５）。具体的に、モバイル機器２００の特性は、種類、バージョン、モデル ナンバーなどで互いに異なることができる。この場合、コンテンツ提供装置３００は、モバイル機器２００の特性に適合するコンテンツの形態を選択する。
【００９９】
前記選択に従って、コンテンツ提供装置３００は、モバイル機器２００の特性による形態でコンテンツを伝送する（Ｓ１００６）。
【０１００】
図１３は、本発明の一実施形態によるコンテンツ提供装置の制御過程を示す図である。
【０１０１】
コンテンツ提供装置１００は、コンテンツ伝達装置３００からモバイル機器２００のプロファイルを受信する（Ｓ１１０１）。コンテンツ伝達装置３００から前記プロファイルに対応するコンテンツの要請を共に受信する。この時、コンテンツ伝達装置３００から前記プロファイルに対応するコンテンツを前記モバイル機器２００に直接に伝送されるように要請されることができる。
【０１０２】
コンテンツ提供装置１００は、既に保存された少なくとも一つのコンテンツの中で前記受信したプロファイルに対応するコンテンツを検索して選択する（Ｓ１１０２）。
【０１０３】
前記選択されたコンテンツを前記コンテンツ伝達装置３００に伝送する。または、コンテンツ伝達装置３００からモバイル機器２００の直接送信が要請されれば、前記選択されたコンテンツを前記モバイル機器２００に直接に伝送する（Ｓ１１０３）。
【０１０４】
以上で本発明のいくつかの実施例らを図示及び説明してきたが、本発明の属する技術の分野で通常の知識を有する人ならば、本発明の原則や精神から逸脱することなく、それらの実施例を変形できるということが理解されるであろう。したがって、本発明の範囲は、後述する特許請求範囲だけでなくこの特許請求範囲と均等なものによって定められるべきである。
【符号の説明】
【０１０５】
２００  モバイル機器
２１０  通信部
２２０  信号処理部
２３０  ディスプレイ部
２４０  制御部
【図１】
2013509636.tif 000003
【図２】
2013509636.tif 000004
【図３】
2013509636.tif 000005
【図４】
2013509636.tif 000006
【図５】
2013509636.tif 000007
【図６】
2013509636.tif 000008
【図７】
2013509636.tif 000009
【図８】
2013509636.tif 000010
【図９】
2013509636.tif 000011
【図１０】
2013509636.tif 000012
【図１１】
2013509636.tif 000013
【図１２】
2013509636.tif 000014
【図１３】
2013509636.tif 000015
【国際調査報告】
2013509636.tif 000016
2013509636.tif 000017